(57)【要約】      （修正有）【課題】処理用量を増大させながらも装置全体の軽量化及びコンパクト化の具現が可能にする船舶平衡水用電気分解装置の提供。【解決手段】複数の電解カセットモジュール３００を収容することができる収容空間を内部に形成した本体ハウジング１００の開口された一側面をカバープレート２００が締め切り、端子ユニット４００の端部がカバープレート２００を通じ露出され外部電源と接続され、複数の電解カセットモジュール３００のそれぞれとカバープレート２００の間に配置され複数の端子ユニット４００のそれぞれを安着させながら電解カセットモジュール３００と導電させるとともに、端子ユニット４００とカバープレート２００の間を縁切りさせる縁切り材とからなる縁切りガイドユニット５００を含む、船舶平衡水用電気分解装置。【選択図】図１
2018094486.tif 000002
【特許請求の範囲】
【請求項１】
一側に設ける第１ポートと、他側に設ける第２ポートと、前記第１ポート及び前記第２ポートを相互連結し内部に収容空間を備えた金属材とからなる本体ハウジングと、
前記本体ハウジングの開口された一側面に脱着可能に装着される金属材とからなるカバープレートと、
複数の電気分解プレート（以下「電解板」）を具備し前記収容空間に内蔵され、前記第１ポートから流入される船舶バラスト水である海水を電気分解する複数の電解カセットモジュールと、
前記複数の電解カセットモジュール中一対の電解カセットモジュールの上面にそれぞれ接続されるとともにその端部が前記カバープレートを通じて露出され、外部電源と接続される金属材とからなる複数の端子ユニット及び、
前記複数の電解カセットモジュールのそれぞれと前記カバープレートの間に配置され、前記複数の端子ユニットのそれぞれを安着させながら前記電解カセットモジュールと導電させるとともに、前記端子ユニットと前記カバープレートの間を縁切りさせる縁切り材とからなる縁切りガイドユニットと、
を含むのを特徴とする船舶平衡水用電気分解装置。
【請求項２】
前記端子ユニットは、
前記一対の電解カセットモジュールの上面にそれぞれ形成された端子ブロックと締結具を通じ連結固定される一対の連結片と、
前記一対の連結片のそれぞれの対面するようにあい隣る縁からお互いに接触して延長され前記一対の連結片のそれぞれと直交し前記外部電源と接続される端子片と、
を含み、
前記縁切りガイドユニットの一部は、前記端子片の下部側と前記一対の連結片のそれぞれの上面の一部をくるむことを特徴とする請求項１に記載の船舶平衡水用電気分解装置。
【請求項３】
前記縁切りガイドユニットは、
前記カバープレートの下面と前記複数の電解カセットモジュールのそれぞれの上面の間に配置され前記カバープレートと前記電解カセットモジュール間のショートを防止する縁切り材とからなる縁切りプレートと、
前記縁切りプレートの上面に陷沒形成されて複数の行列を成して配置され、前記複数の端子ユニットのそれぞれの下部側が安着固定される安着溝と、
前記安着溝に安着された前記複数の端子ユニットのそれぞれの下部側をくるんで、一部は前記カバープレートに貫通さて複数の行列を成して配置される露出スロットを通じて露出する縁切り材とからなるカバーブロックと、
を含み、
前記複数の端子ユニットのそれぞれの下部の両側は、前記安着溝の両側を通じて前記複数の電解カセットモジュールのそれぞれの上面と電気的に接続されることを特徴とする請求項１に記載の船舶平衡水用電気分解装置。
【請求項４】
前記縁切りガイドユニットは、
前記縁切りプレートの上面にリーム（ｒｉｍ）状で陷沒形成され前記安着溝の縁外側に配置される安着リング溝と、
前記複数の端子ユニットのそれぞれの下部の両側と前記複数の電解カセットモジュールのそれぞれの上面を電気的に連結させるように、前記安着溝の両側縁に一定幅と長さに貫通されて平行に配置される一対の連通スロットと、
前記安着リング溝の形成方向に沿って安着固定され前記カバープレートの下面に密着されるリーム状のメインシーリング部材と、
をさらに含み、
前記露出スロットは前記一対の連通スロットの間に平行に配置されることを特徴とする請求項３に記載の船舶平衡水用電気分解装置。
【請求項５】
前記カバーブロックは、
前記端子ユニットの下部の両側を形成する一対の連結片のそれぞれの上面の一部を覆う下部密着シーリング片と、
前記下部密着シーリング片の中心部から上側に延長され外側面が前記露出スロットの縁内側と当接し、中心部に前記一対の連結片のそれぞれから直交されるようにお互いに接触し上側に延長される一対の端子片が貫通される露出ホールを設け、前記一対の端子片の下部の外側面をくるむ上部密着支持片と、
を含むのを特徴とする請求項３に記載の船舶平衡水用電気分解装置。
【請求項６】
前記複数の電解カセットモジュールは、一対ずつ一組を成して少なくともニ組み以上が前記本体ハウジングに内蔵することを特徴とする請求項１に記載の船舶平衡水用電気分解装置。
【請求項７】
前記電解カセットモジュールは、
チタンまたはチタン合金材である前記複数の電解板を平行に配列させてからなるプレートアレイと、
前記複数の電解板の中で一つの電解板とあい隣る電解板の間に平行に配置される縁切り材とからなる複数のスペースバーと、
前記プレートアレイの両方の外側面をくるんで平行に配置される一対の締め切りプレートと、
前記複数の電解板の中で１、３、５、・・・、２ｎ−１列に配置される電解板（以下奇数アレイ）の一側の縁の一部を固定させ前記一対の締め切りプレートのそれぞれの内側面とかみ合って、前記端子ユニットと導電される第１連結ブロックと、
前記複数の電解板の中で２、４、６、・・・、２ｎ列に配置される電解板（以下偶数アレイ）の一側の縁の一部を固定させ前記一対の締め切りプレートのそれぞれの内側面とかみ合って、前記端子ユニットと導電され、前記第１連結ブロックと同一平面上に配置される第２連結ブロックと、
を含み、
前記ｎは、１以上の定数であることを特徴とする請求項１に記載の船舶平衡水用電気分解装置。
【発明の詳細な説明】
【技術分野】
【０００１】
本発明は、船舶平衡水用電気分解装置に関することであり、もう詳しくは処理用量を増大させながらも装置全体の軽量化及びコンパクト化の具現が可能にする船舶平衡水用電気分解装置に関する。
【背景技術】
【０００２】
船舶は貨物を荷役した後均衡維持及び安全性を高めるためにバラストタンク（Ｂａｌｌａｓｔ  Ｔａｎｋ）に海水を盛った状態に運航されるのに、バラストタンク内に積載するバラスト水（Ｂａｌｌａｓｔ  Ｗａｔｅｒ）は船舶のきっすいとおくび（Ｔｒｉｍ）を調整する重量物の役目をする。
【０００３】
このようなバラスト水は前述のように貨物を荷役した後バラストタンクに該当港湾の海水を満たして貨物を積載するために他の国の港湾に到着した後には着地の海に排出させて船舶の重さを減らした後貨物を積載している。
【０００４】
このようなバラスト水は前述のようにお互いに違う海の海水を混合させる役目をして、このようなバラスト水は長期間バラストタンクに保管された状態になって各種病菌が自生するとかまたは他の海の外来海洋生物種をお互いに混合させて生態系を破壊する原因になった。
【０００５】
すなわち、バラスト水に含まれた特定海域の生物または病源菌などがバラスト水を盛っている船舶によって全然違った海域に移送されてその地域の海洋に振り撤かれることでお互いに違う生態系の生物が混合して生態系が撹乱されるだけでなく沿岸産業や他の商業的活動または資源にも大きい被害を誘発するようになる問題があった。
【０００６】
このような問題を解消するためにバラスト水に含まれた各種有害物をとり除くための装置や方法が開発されて提供されている。
【０００７】
このようなバラスト水処理処置は韓国登録特許第１０−０９１９４７２号の「バラスト水処理処置」のような電気分解を利用した殺菌法や紫外線を利用した殺菌装置が使われている。
【先行技術文献】
【特許文献】
【０００８】
【特許文献１】韓国登録特許第１０−０９１９４７２号明細書
【発明の概要】
【発明が解決しようとする課題】
【０００９】
しかし、このようなバラスト水処理処置たちの中で先行技術のような電気分解を利用した装置の場合には短時間に多い量のバラスト水を電気分解するためには装置の大きさがすぎるほど大きくなって、核心部品である不溶性電極の数量が多くなって、接触時間も長く維持することができない短所がある。
【００１０】
本発明は前記のような問題点を改善するために発明されたことであり、処理用量を増大させながらも装置全体の軽量化及びコンパクト化の具現が可能にする船舶平衡水用電気分解装置を提供することにその目的がある。
【課題を解決するための手段】
【００１１】
前記のような目的を果たすために、本発明は、一側に設ける第１ポートと、他側に設ける第２ポートと、前記第１ポート及び前記第２ポートを相互連結し内部に収容空間を備えた金属材とからなる本体ハウジングと、前記本体ハウジングの開口された一側面に脱着可能に装着される金属材とからなるカバープレートと、複数の電気分解プレート（以下「電解板」）を具備し前記収容空間に内蔵され、前記第１ポートから流入される船舶バラスト水である海水を電気分解する複数の電解カセットモジュールと、前記複数の電解カセットモジュール中一対の電解カセットモジュールの上面にそれぞれ接続されるとともにその端部が前記カバープレートを通じて露出され、外部電源と接続される金属材とからなる複数の端子ユニット及び、前記複数の電解カセットモジュールのそれぞれと前記カバープレートの間に配置され、前記複数の端子ユニットのそれぞれを安着させながら前記電解カセットモジュールと導電させるとともに、前記端子ユニットと前記カバープレートの間を縁切りさせる縁切り材とからなる縁切りガイドユニットと、を含むのを特徴とする船舶平衡水用電気分解装置を提供することができる。
【００１２】
ここで、前記端子ユニットは、前記一対の電解カセットモジュールの上面にそれぞれ形成された端子ブロックと締結具を通じ連結固定される一対の連結片と、前記一対の連結片のそれぞれの対面するようにあい隣る縁からお互いに接触して延長され前記一対の連結片のそれぞれと直交し前記外部電源と接続される端子片と、を含み、前記縁切りガイドユニットの一部は、前記端子片の下部側と前記一対の連結片のそれぞれの上面の一部をくるむことを特徴とする。
【００１３】
この時、前記縁切りガイドユニットは、前記カバープレートの下面と前記複数の電解カセットモジュールのそれぞれの上面の間に配置され前記カバープレートと前記電解カセットモジュール間のショートを防止する縁切り材とからなる縁切りプレートと、前記縁切りプレートの上面に陷沒形成されて複数の行列を成して配置され、前記複数の端子ユニットのそれぞれの下部側が安着固定される安着溝と、前記安着溝に安着された前記複数の端子ユニットのそれぞれの下部側をくるんで、一部は前記カバープレートに貫通さて複数の行列を成して配置される露出スロットを通じて露出する縁切り材とからなるカバーブロックと、を含み、前記複数の端子ユニットのそれぞれの下部の両側は、前記安着溝の両側を通じて前記複数の電解カセットモジュールのそれぞれの上面と電気的に接続されることを特徴とする。
【００１４】
そして、前記縁切りガイドユニットは、前記縁切りプレートの上面にリーム（ｒｉｍ）状で陷沒形成され前記安着溝の縁外側に配置される安着リング溝と、前記複数の端子ユニットのそれぞれの下部の両側と前記複数の電解カセットモジュールのそれぞれの上面を電気的に連結させるように、前記安着溝の両側縁に一定幅と長さに貫通されて平行に配置される一対の連通スロットと、前記安着リング溝の形成方向に沿って安着固定され前記カバープレートの下面に密着されるリーム状のメインシーリング部材と、をさらに含み、前記露出スロットは前記一対の連通スロットの間に平行に配置されることを特徴とする。
【００１５】
そして、前記カバーブロックは、前記端子ユニットの下部の両側を形成する一対の連結片のそれぞれの上面の一部を覆う下部密着シーリング片と、前記下部密着シーリング片の中心部から上側に延長され外側面が前記露出スロットの縁内側と当接し、中心部に前記一対の連結片のそれぞれから直交されるようにお互いに接触し上側に延長される一対の端子片が貫通される露出ホールを設け、前記一対の端子片の下部の外側面をくるむ上部密着支持片と、を含むことを特徴とする。
【００１６】
そして、前記複数の電解カセットモジュールは、一対ずつ一組を成して少なくともニ組み以上が前記本体ハウジングに内蔵することを特徴とする。
【００１７】
また、前記電解カセットモジュールは、チタンまたはチタン合金材である前記複数の電解板を平行に配列させてからなるプレートアレイと、前記複数の電解板の中で一つの電解板とあい隣る電解板の間に平行に配置される縁切り材とからなる複数のスペースバーと、前記プレートアレイの両方の外側面をくるんで平行に配置される一対の締め切りプレートと、前記複数の電解板の中で１、３、５、・・・、２ｎ−１列に配置される電解板（以下奇数アレイ）の一側の縁の一部を固定させ前記一対の締め切りプレートのそれぞれの内側面とかみ合って、前記端子ユニットと導電される第１連結ブロックと、前記複数の電解板の中で２、４、６、・・・、２ｎ列に配置される電解板（以下偶数アレイ）の一側の縁の一部を固定させ前記一対の締め切りプレートのそれぞれの内側面とかみ合って、前記端子ユニットと導電され、前記第１連結ブロックと同一平面上に配置される第２連結ブロックと、を含み、前記ｎは、１ 以上の定数であることを特徴とする。
【発明の効果】
【００１８】
前記のような構成の本発明によると、既存の装置に比べ船舶バラスト水の処理用量を大幅に増大させながらも装置全体の大きさと体積は等しいとか小さく製作するようにして装置全体のコンパクト化及び軽量化の具現が可能になる。
【図面の簡単な説明】
【００１９】
【図１】本発明の一つの実施例にかかる船舶平衡水用電気分解装置の全体的な見掛けを図示したことで、図１（ａ）は斜視図であり、図１（ｂ）は図１（ａ）の矢印Ａ、Ｂ方向で眺めた正面概念図であり、図１（ｃ）は図１（ａ）の矢印Ｃ、Ｄ方向で眺めた側面概念図である。
【図２】本発明の一つの実施例にかかる船舶平衡水用電気分解装置の全体的な結合関係を示した分解斜視図である。
【図３】本発明の一つの実施例にかかる船舶平衡水用電気分解装置の一部結合関係を示した分解斜視図であり、図２と反対方向で眺めた時点の図面である。
【図４】本発明の一つの実施例にかかる船舶平衡水用電気分解装置の主要部である縁切りガイドユニット中縁切りプレートの構造を示したことで、図４（ａ）は平面概念図を、図４（ｂ）は図４（ａ）のＩＶｂ−ＩＶｂ線断面概念図をそれぞれ図示した図面である。
【図５】本発明の一つの実施例にかかる船舶平衡水用電気分解装置の主要部である電解カセットモジュールの全体的な見掛けを図示した斜視図である。
【図６】本発明の一つの実施例にかかる船舶平衡水用電気分解装置の主要部である電解カセットモジュールの全体的な結合関係を図示した分解斜視図である。
【図７】図６の各部分拡大斜視図である。
【発明を実施するための形態】
【００２０】
本発明の利点及び特徴、そして、それらを達成する方法は、添付の図面と共に詳細に説明している実施例を参照すれば明確になるだろう。
【００２１】
しかし、本発明は、ここで説明する実施例に限定されず、他の形態に具体化することもできる。むしろ、ここで紹介する実施例は、開示された内容を徹底的且つ完全にするために、そして、当業者に本発明の思想を十分に伝達するために提供されるものである。
【００２２】
各図面において、層及び各領域の厚さは、明確性のために誇張されたものである。
【００２３】
上端、下端、上面、下面、または上部、下部などの用語は、構成要素において相対的な位置を区別するために使用されるものである。
【００２４】
例えば、便宜上、図面上の上側を上部、図面上の下側を下部と命名する場合、実際には、本発明の権利範囲を逸脱しない限り、上部を下部と命名してもよく、下部を上部と命名してもよい。
【００２５】
本出願で使用した用語は、単に特定の実施例を説明するために使用されたものであって、本発明を限定するためのものではない。
【００２６】
単数の表現は、文脈上、明白に異なる意味でない限り、複数の表現を含む。
【００２７】
本出願において、"含む"または"有する"などの用語は、明細書上に記載された特徴、数字、段階、動作、構成要素、部品またはこれらを組み合わせたものが存在することを指定するためのものであって、１つまたはそれ以上の他の特徴、数字、段階、動作、構成要素、部品またはこれらを組み合わせたものの存在または付加可能性を予め排除しないことを理解しなければならない。
【００２８】
異なる形に定義されない限り、技術的または科学的な用語を含めて、ここで使用される全ての用語は、本発明の属する技術分野で通常の知識を有する者によって一般的に理解されるものと同一の意味を有する。
【００２９】
一般的に使用される辞典に定義されている各用語は、関連技術の文脈上の意味と一致する意味を有するものと解釈しなければならなく、本出願において明白に定義しない限り、理想的または過度に形式的な意味に解釈してはならない。
【００３０】
以下、添付の図面を参照して本発明の望ましい実施例をより詳細に説明する。
【００３１】
まず、図１は本発明の一つの実施例にかかる船舶平衡水用電気分解装置の全体的な見掛けを図示したことで、図１（ａ）は斜視図であり、図１（ｂ）は図１（ａ）の矢印Ａ、Ｂ 方向で眺めた正面概念図であり、図１（ｃ）は図１（c）の矢印Ｃ、Ｄ方向で眺めた側面概念図である。
【００３２】
そして、図２は本発明の一つの実施例にかかる船舶平衡水用電気分解装置の全体的な結合関係を示した分解斜視図である。
【００３３】
そして、図３は本発明の一つの実施例にかかる船舶平衡水用電気分解装置の一部結合関係を示した分解斜視図であり、図２と反対方向で眺めた時点の図面である。
【００３４】
そして、図４は本発明の一つの実施例にかかる船舶平衡水用電気分解装置の主要部である縁切りガイドユニット中縁切りプレートの構造を示したことで、図４（ａ）は平面概念図を、図４（ｂ）は図４（ａ）のＩＶｂ−ＩＶｂ線断面概念図をそれぞれ図示した図面である。
【００３５】
そして、図５は本発明の一つの実施例にかかる船舶平衡水用電気分解装置の主要部である電解カセットモジュールの全体的な見掛けを図示した斜視図である。
【００３６】
そして、図６は本発明の一つの実施例にかかる船舶平衡水用電気分解装置の主要部である電解カセットモジュールの全体的な結合関係を図示した分解斜視図である。
【００３７】
また、図７は図６の各部分拡大斜視図である。
【００３８】
本発明は図示されたように、複数の電解カセットモジュール３００を収容する本体ハウジング１００の開口された一側面をカバープレート２００が締め切り、端子ユニット３００の端部がカバープレート２００を通じて露出して外部電源（以下図示せず）と接続され、複数の電解カセットモジュール３００のそれぞれと前記カバープレート２００の間に配置される縁切りガイドユニット５００を含む構造なのを把握することができる。
【００３９】
まず、本体ハウジング１００は、一側に設ける第１ポート１０１と、他側に設ける第２ポート１０２と、第１ポート１０１と第２ポート１０２を相互接続して内部に収容空間１００ｓを備えた金属材とからなるものであり、外部ケースの役目をする。
【００４０】
そして、カバープレート２００は、本体ハウジング１００の開口された一側面に脱着可能に装着される金属材とからなるものであり、本体ハウジング１００の開口された面を締め切るためのものである。
【００４１】
そして、複数の電解カセットモジュール３００は、複数の電気分解プレート３０１（以下「電解板３０１」）を具備し収容空間１００ｓに内蔵して、第１ポート１０１から流入される船舶バラスト水である海水を電気分解する役目を遂行するためのものである。
【００４２】
そして、複数の端子ユニット４００は、複数の電解カセットモジュール３００中一対の電解カセットモジュール３００の上面とそれぞれ接続されるとともに、その端部がカバープレート２００を通じて露出され、外部電源と接続される金属材とからなるものであり、外部電源と導電のために用意されたものである。
【００４３】
縁切りガイドユニット５００は複数の電解カセットモジュール３００のそれぞれとカバープレート２００の間に配置され、複数の端子ユニット４００のそれぞれを安着させながら電解カセットモジュール３００と導電させるとともに、端子ユニット４００とカバープレート２００の間を縁切りさせる縁切り材とからなるものである。
【００４４】
本発明は、前記のような実施例の適用が可能であり、次のような多様な実施例の適用も可能であることは勿論である。
【００４５】
まず、本体ハウジング１００は、第１ポート１０１と接続される第１連結管１１０と、第１連結管１１０の端部の縁に沿って延長される第１ガイドフランジ１１１と、第２ポート１０２と接続される第２連結管１２０と、第２連結管１２０の端部の縁に沿って延長される第２ガイドフランジ１２１をさらに具備することができる。
【００４６】
第１、２ガイドフランジ１１１、１２１によって連結配管（以下図示せず）と接続され一定な流量で船舶バラスト水である海水の流れを案内することができるようになるでしょう。
【００４７】
一方、カバープレート２００には複数の端子ユニット４００のそれぞれの上端部が露出するように貫通形成されて複数の行列を成して配置される露出スロット２１０をさらに具備することもできる。
【００４８】
この時、露出スロット２１０の内側縁は、図３の上部側に点線に図示された部分のように、縁切りガイドユニット５００の一部が配置され複数の端子ユニット４００のそれぞれの上端部側を支持することができるようになるでしょう。
【００４９】
一方、端子ユニット４００は、図２及び図３を参照してよく見れば、一対の電解カセットモジュール３００の上面にそれぞれ形成された端子片４２０、４２０と締結具６００を通じて連結固定される一対の連結片４１０、４１０と、端子片４２０、４２０を含む構造なのを把握することができる。
【００５０】
ここで、端子片４２０、４２０は一対の連結片４１０、４１０のそれぞれの対面するようにあい隣る縁からお互いに接触して延長され一対の連結片４１０、４１０のそれぞれと直交して外部電源と接続されるものである。
【００５１】
この時、後述する縁切りガイドユニット５００の一部は端子片４２０、４２０の下部側と一対の連結片４１０、４１０のそれぞれの上面の一部をくるむことを把握することができる。
【００５２】
一方、縁切りガイドユニット５００は、カバープレート２００の下面と複数の電解カセットモジュール３００のそれぞれの上面の間に配置されてカバープレート２００と電解カセットモジュール３００の間のショートを防止する縁切り材とからなる縁切りプレート５１０と、縁切りプレート５１０に形成された安着溝５２０と、安着溝５２０に端子ユニット４００を通じて収容されるカバーブロック５３０を含む構造であることが把握できる。
【００５３】
ここで、安着溝５２０は縁切りプレート５１０の上面に陷沒形成され複数の行列を成して配置され、複数の端子ユニット４００のそれぞれの下部側が安着固定されるものである。
【００５４】
この時、カバーブロック５３０は、安着溝５２０に安着された複数の端子ユニット４００のそれぞれの下部側をくるんで、一部はカバープレート２００に貫通されて複数の行列を成して配置される露出スロット２１０を通じて露出する縁切り材とからなるものである。
【００５５】
したがって、複数の端子ユニット４００のそれぞれの下部の両側、すなわち一対の連結片４１０は安着溝５２０の両側を通じて後述する複数の電解カセットモジュール３００のそれぞれの上面と電気的に接続される構造であることが分かる。
【００５６】
一方、前述の縁切りガイドユニット５００は、縁切りプレート５１０の上面にリーム（ｒｉｍ）状で陷沒形成されて安着溝５２０の縁外側に配置される安着リング溝５１１と、安着リング溝５１１の形成方向に沿って安着固定されてカバープレート２００の下面に密着されるリーム状のメインシーリング部材（以下図示せず）をさらに具備することができる。
【００５７】
また、縁切りガイドユニット５００は、図４を参照してよく見れば、複数の端子ユニット４００のそれぞれの一対の連結片４１０と複数の電解カセットモジュール３００のそれぞれの上面を電気的に連結させるように、安着溝５２０の両側縁に一定幅と長さに貫通されて平行に配置される一対の連通スロット５２２、５２２をさらに具備することもできる。
【００５８】
したがって、露出スロット２１０は、一対の連通スロット５３０、５３０の間に平行に配置されることが分かる。
【００５９】
一方、カバーブロック５３０は、端子ユニット４００の下部の両側を形成する一対の連結片４１０、４１０のそれぞれの上面の一部を覆う下部密着シーリング片５３１と一緒に、上部密着支持片５３２を含む構造であることが把握できる。
【００６０】
上部密着支持片５３２は、下部密着シーリング片５３１の中心部から上側に延長され外側面が露出スロット２１０の縁内側と当接し、中心部に一対の連結片４１０、４１０のそれぞれから直交されるようにお互いに接触し上側に延長される一対の端子片４２０、４２０が貫通される露出ホール５３３を設け、一対の端子片４２０、４２０の下部の外側面をくるむものである。
【００６１】
一方、複数の電解カセットモジュール３００は一対ずつ一組を成して少なくともニ組み以上が本体ハウジング１００に内蔵するようにすることにより、既存の電気分解装置に比べて２倍以上の船舶バラスト水電気分解処理ができるようになる。
【００６２】
このような電解カセットモジュール３００は、図５ないし図７を参照してもっと具体的によく見れば、次のような構成を含むのが分かる。
【００６３】
まず、電解カセットモジュール３００は、図５のように、チタンまたはチタン合金材である複数の電解板３０１を平行に配列させてからなるプレートアレイ３０１ａを含むことができる。
【００６４】
そして、電解カセットモジュール３００は、図６のように、複数の電解板３０１中一つの電解板３０１とあい隣る電解板３０１の間に平行に配置される縁切り材とからなる複数のスペースバー３１０を含むことができる。
【００６５】
そして、電解カセットモジュール３００は、図６のように、プレートアレイ３０１ａの両方の外側面をくるんで平行に配置される一対の締め切りプレート３２０、３２０を含むことができる。
【００６６】
そして、電解カセットモジュール３００は、図７のように、複数の電解板３０１中１、３、５、・・・、２ｎ−１列に配置される電解板３０１（以下奇数アレイ３０１ｄ、以下図７（a）参照）の一側の縁の一部を固定させて一対の締め切りプレート３２０、３２０のそれぞれの内側面とかみ合って、端子ユニット４００と導電される第１連結ブロック３３０を含むこともできる。
【００６７】
また、電解カセットモジュール３００は、図７のように、複数の電解板３０１中２、４、６、・・・、２ｎ列に配置される電解板３０１（以下偶数アレイ３０１ｖ、以下図７（a）参照）の一側の縁の一部を固定させて一対の締め切りプレート３２０、３２０のそれぞれの内側面とかみ合って、端子ユニット４００と導電されて、第１連結ブロック３３０と同一平面上に配置される第２連結ブロック３４０を含むこともできることは勿論である。
【００６８】
ここで、ｎは１以上の定数である。
【００６９】
この時、電解カセットモジュール３００は、図７（ｃ）及び図７（ｄ）のように、複数のスペースバー３１０のそれぞれの両端部に延長形成されて一対の締め切りプレート３２０、３２０を通じてプレートアレイ３０１ａとともに全体的にボルト等の締結具６００によって固定される部分を提供するための締結延長片３１１をさらに具備できることも勿論である。
【００７０】
また、電解カセットモジュール３００は、また図６を参照しよく見れば、複数の電解板３０１らのそれぞれと第１連結ブロック３３０の正確な位置決定及び締結が可能になるように、第１連結ブロック３３０の下面に複数で平行に陷沒形成される複数の第１直線溝３３１と、奇数アレイ３０１ｄのそれぞれの電解板３０１の一側の縁の一部から延長され第１直線溝３３１にそれぞれ安着固定される第１延長片３０１ｂをさらに具備することもできる。
【００７１】
同時に、電解カセットモジュール３００は、図６を参照してよく見れば、複数の電解板３０１らのそれぞれと第２連結ブロック３４０の正確な位置決定及び締結が可能になるように、第２連結ブロック３４０の下面に複数で平行に陷沒形成される複数の第２直線溝３４１と、偶数アレイ３０１ｖのそれぞれの電解板３０１の一側の縁の一部から延長され第２直線溝３４１にそれぞれ安着固定される第２延長片３０１ｃをさらに具備することもできる。
【００７２】
また、電解カセットモジュール３００は、一対の締め切りプレート３２０、３２０中一側の締め切りプレート３２０に段差にするように陷沒形成され第１連結ブロック３３０の一側縁が安着固定される第１位置決定段差溝３２１をさらに具備することができる。
【００７３】
また、電解カセットモジュール３００は、一対の締め切りプレート３２０、３２０ 中他側の締め切りプレート３２０に段差にするように陷沒形成され第２連結ブロック３４０の一側縁が安着固定される第２位置決定段差溝３２２をさらに具備することもできる。
【００７４】
前述の第１、２位置決定段差溝３２１、３２２は、電解カセットモジュール３００の正確な結合位置を把握し確かな締結組み立てをはかるため用意された技術的手段である。
【００７５】
一方、電解カセットモジュール３００は、第１連結ブロック３３０及び第２連結ブロック３４０の上面にそれぞれ陷沒される固定溝３５０と、固定溝３５０に固定され複数の電解板３０１と電気的に接続され、端子ユニット４００と締結具６００を通じて接続される端子ブロック３６０をさらに具備することができる。
【００７６】
この時、電解カセットモジュール３００は、固定溝３５０と端子ブロック３６０の外側面の間に装着されるリーム状の補助シーリング部材（以下図示せず）をさらに具備することもできることは勿論である。
【００７７】
本発明は、メインシーリング部材とともに補助シーリング部材まで具備して二重に水密及び機密を維持し漏電及びショートの危険をあらかじめ防止し安全な装置構造の提供が可能になる。
【００７８】
一方、電解カセットモジュール３００は、第１連結ブロック３３０と第２連結ブロック３４０の間及び、一対の締め切りプレート３２０、３２０の間に開口された部分を締め切り固定する締め切りブロック３７０をさらに含み、第１連結ブロック３３０と第２連結ブロック３４０及び締め切りブロック３７０は同一平面上に配置されることが分かる。
【００７９】
また、電解カセットモジュール３００は、第１連結ブロック３３０及び第２連結ブロック３４０と平行で対面するように配置され一対の締め切りプレート３２０、３２０の間に両側縁が固定され、第１連結ブロック３３０及び第２連結ブロック３４０により設ける電解カセットモジュール３００の上面に対して、電解カセットモジュール３００の下面を設ける底プレート３８０をさらに具備することもできる。
【００８０】
ここで、電解カセットモジュール３００は、底プレート３８０の上面から底プレート３８０の一側端部縁まで傾くように形成される案内斜面３８１をさらに具備することにより、プレートアレイ３０１ａを含んだ上部及び側面構造物、即第１、２連結ブロック３３０、３４０と一対の締め切りプレート３２０、３２０が正確に案内されて安着固定されることに便宜を提供することができるでしょう。
【００８１】
以上のように本発明は処理用量を増大させながらも装置全体の軽量化及びコンパクト化の具現が可能にする船舶平衡水用電気分解装置を提供することを基本的な技術的思想にしていることが分かる。
【００８２】
そして、本発明の基本的な技術的思想の範疇内であって業界通常の知識を持った者においては他の多い変形及び応用も可能であることは勿論である。
【符号の説明】
【００８３】
１００    本体ハウジング
１００s    収容空間
１０１    第１ポート
１０２    第２ポート
１１０    第１連結管
１１１    第１ガイドフランジ
１２０    第２連結管
１２１    第２ガイドフランジ
２００    カバープレート
２１０    露出スロット
３００    電解カセットモジュール
３０１    電気分解プレート、電解板
３０１a    プレートアレイ
３０１b    第１延長片
３０１c    第２延長片
３０１ｄ    奇数アレイ
３０１ｖ    偶数アレイ
３１０    スペースバー
３２０、３２０    締め切りプレート
３２１    第１位置決定段差溝
３２２    第２位置決定段差溝
３３０    第１連結ブロック
３３１    第１直線溝
３４０    第２連結ブロック
３４１    第２直線溝
３５０    固定溝
３６０    端子ブロック
３７０    締め切りブロック
３８０    底プレート
３８１    案内斜面
４００    端子ユニット
４１０、４１０    連結片
４２０、４２０    端子片
５００    縁切りガイドユニット
５１０    縁切りプレート
５１１    安着リング溝
５２０    安着溝
５２２、５２２    連通スロット
５３０    カバーブロック
５３１    下部密着シーリング片
５３２    上部密着支持片
５３３    露出ホール
６００    締結具
【図１】
2018094486.tif 000003
【図２】
2018094486.tif 000004
【図３】
2018094486.tif 000005
【図４】
2018094486.tif 000006
【図５】
2018094486.tif 000007
【図６】
2018094486.tif 000008
【図７】
2018094486.tif 000009